(57)【要約】【課題】給湯機のタンクに貯溜された水等の第１熱媒体が、浴水等の第２熱媒体を加熱することに伴って消費する消費熱量を良好に算出可能なタンク装置を提供する。【解決手段】高温水を貯溜するタンク１０と、浴水とタンク１０の高温水とを熱交換させることで、第２熱媒体を加熱する追焚き回路４０（熱交換部４２）と、追焚き回路４０による加熱により、高温水が消費した消費熱量を算出する第１制御部６１と、を備え、第１制御部６１は、追焚き回路４０による追焚き回数と追焚き時間とに基づいて、高温水の消費熱量を算出することを特徴とする給湯機１である。【選択図】図１
2012007820.tif 000002
【特許請求の範囲】
【請求項１】
高温の第１熱媒体を貯溜するタンクと、
第２熱媒体と前記タンクの第１熱媒体とを熱交換させることで、第２熱媒体を加熱する第１加熱手段と、
前記第１加熱手段による加熱により、第１熱媒体が消費した消費熱量を算出する消費熱量算出手段と、
を備え、
前記消費熱量算出手段は、前記第１加熱手段による加熱回数と加熱時間とに基づいて、第１熱媒体の消費熱量を算出する
ことを特徴とするタンク装置。
【請求項２】
前記消費熱量算出手段の算出した消費熱量を記憶する記憶手段を備える
ことを特徴とする請求項１に記載のタンク装置。
【請求項３】
前記タンク内の第１熱媒体の温度を検出する温度センサと、
電力を消費することで前記タンク内の第１熱媒体を加熱する第２加熱手段と、
前記温度センサの検出する温度と、前記記憶手段に記憶された消費熱量とに基づいて、前記第２加熱手段による加熱開始条件を設定する加熱開始条件設定手段と、
を備える
ことを特徴とする請求項２に記載のタンク装置。
【発明の詳細な説明】
【技術分野】
【０００１】
本発明は、給湯機等のタンク装置に関する。
【背景技術】
【０００２】
近年、ヒートポンプや電気ヒータ等（第２加熱手段）により沸き上げた高温水（第１熱媒体）を貯溜するタンクを備える給湯機（タンク装置）の開発が進められている。ここで、ヒートポンプ等は作動に伴って電力を消費するので、通常、深夜時間帯（２３時〜７時）の安価な深夜電力によってヒートポンプを作動させ、その翌日分の高温水をタンクで貯溜するように設定される。
【０００３】
また、給湯機は、浴槽の水（浴水、第２熱媒体）を温める機能、つまり、追焚き機能を備えている。すなわち、追焚き時には、循環ポンプによって浴槽の浴水を循環させると共に、循環する浴水とタンクに貯溜されている高温水とを熱交換器（第１加熱手段）によって熱交換させ、浴水を加熱している。したがって、追焚きすると、タンク内の水の温度が低下することになる。
【０００４】
このようにタンク内の水の温度が低下した場合において、昼間時間帯（７時〜２３時）の通常料金の昼間電力によってヒートポンプを作動させてしまうと、電力料金（電気代）が高価になってしまい、好ましくない。
【０００５】
そこで、追焚きに伴う熱交換によって、タンク内の高温水が消費する１日当たりの熱量（消費熱量）を算出・学習し、タンク内の水が学習した消費熱量を有する程度に、深夜電力で沸き上げておく方法が考えられる（特許文献１参照）。
【０００６】
例えば、浴水を循環させる追焚き回路において、浴槽から流出する加熱前の浴水の温度を検出する温度センサと、浴槽に流入する加熱後の浴水の温度センサと、循環する浴水の流量を検出する流量センサとを設け、加熱前後における浴水の温度差と、浴水の流量とに基づいて、単位時間当たりにおけるタンク内の水の消費熱量（浴水の増加熱量）を算出し、これを追焚き時間で積分することにより、その追焚きにおけるタンク内の水の消費熱量を算出する第１方法が考えられる。
【０００７】
また、追焚き中における浴水の循環流量を追焚き時間で積算して得られた積算循環流量と、追焚き前後における浴槽の浴水の温度差と、を乗算し、その追焚きにおけるタンク内の水の消費熱量を算出する第２方法が考えられる。
【０００８】
ところが、このような第１方法、第２方法では、流量センサ、温度センサを備える必要があるので、給湯機が高コストになってしまう。
【０００９】
そこで、流量センサ、温度センサを備えずに、追焚きに伴うタンク内の水の消費熱量を簡便に算出する方法として、１回の追焚き時間を一定の固定時間と仮定したうえで、追焚き１回当たりの単位消費熱量を固定値として設定し、この単位消費熱量と追焚き回数とを乗算することにより、１日において、追焚きによる全消費熱量を算出する第３方法が考えられる。
【先行技術文献】
【特許文献】
【００１０】
【特許文献１】特開２００８−２５６２７０号公報
【発明の概要】
【発明が解決しようとする課題】
【００１１】
しかしながら、実際には、浴槽の湯を保温するために追焚きする場合だけでなく、前日の冷えた残り湯を追焚きする場合もあり、追焚き前の浴水の温度、及び、設定されたふろ温度（浴水の温度）に対応して、追焚き時間が異なる、つまり、１回の追焚きにおける消費熱量が、異なってしまう。
【００１２】
そうすると、追焚き１回の単位消費熱量を固定値する前記第３方法に従って算出された１日全体における全消費熱量と、追焚き時間が異なる場合における実際の全消費熱量とが、異なってしまう場合がある。
【００１３】
このように異なってしまうと、つまり、（１）第３の方法で算出された全消費熱量が実際の全消費熱量よりも大きい場合、第３の方法による全消費熱量に従ってタンクの水が過剰に沸き上げされてしまい、ヒートポンプ等で無駄に電力が消費されていることになる。
一方、（２）第３の方法で算出された全消費熱量が実際の全消費熱量よりも小さい場合、タンクの水の沸き上げが不足しており、湯切れとなる虞、つまり、給湯が不足する虞がある。
【００１４】
そこで、本発明は、給湯機のタンクに貯溜された水等の第１熱媒体が、浴水等の第２熱媒体を加熱することに伴って消費する消費熱量を良好に算出可能なタンク装置を提供することを課題とする。
【課題を解決するための手段】
【００１５】
前記課題を解決するための手段として、本発明は、高温の第１熱媒体（後記する実施形態では高温水）を貯溜するタンクと、第２熱媒体（後記する実施形態では浴水）と前記タンクの第１熱媒体とを熱交換させることで、第２熱媒体を加熱する第１加熱手段と、前記第１加熱手段による加熱により、第１熱媒体が消費した消費熱量を算出する消費熱量算出手段と、を備え、前記消費熱量算出手段は、前記第１加熱手段による加熱回数（後記する実施形態では追焚き回数）と加熱時間（後記する実施形態では追焚き時間）とに基づいて、第１熱媒体の消費熱量（後記する実施形態では補正後の追焚き回数）を算出することを特徴とするタンク装置である。
【発明の効果】
【００１６】
本発明によれば、給湯機のタンクに貯溜された水等の第１熱媒体が、浴水等の第２熱媒体を加熱することに伴って消費する消費熱量を良好に算出可能なタンク装置を提供することができる。
【図面の簡単な説明】
【００１７】
【図１】本実施形態に係る給湯機の構成を示す図である。
【図２】追焚き回数の補正（換算）を説明する図である。
【図３】本実施形態に係る給湯機の追焚き動作に関するフローチャートである。
【図４】本実施形態に係る給湯機の沸き上げ開始条件設定動作に関するフローチャートである。
【図５】本実施形態に係る給湯機の沸き上げ開始条件Ａ〜Ｄを説明する図である。
【図６】本実施形態に係る給湯機の沸き上げ動作に関するフローチャートである。
【発明を実施するための形態】
【００１８】
以下、本発明の一実施形態について、図１〜図６を参照して説明する。
【００１９】
≪給湯機の構成≫
本実施形態に係る貯湯式の給湯機１（タンク装置）は、主に深夜時間帯（２３時〜７時）の安価な深夜電力を利用して水を沸き上げ、高温水（第１熱媒体）をタンク１０で貯溜する給湯機である。
給湯機１は、水を貯溜するタンク１０と、タンク１０内の水の温度を検出する温度センサ２１〜２４と、タンク１０内の水を加熱し沸き上げるヒートポンプ３０（第２加熱手段）と、浴槽Ｙの浴水（第２熱媒体）を循環させると共に、循環する浴水とタンク１０内の高温水とを熱交換させ、浴水を加熱し、追焚きする追焚き回路４０（第１加熱手段）と、追焚き時等に操作される操作パネル５０と、これらを電子制御するコントローラ６０（制御手段）と、を備えている。
【００２０】
＜タンク＞
タンク１０は、その内部に水を貯溜する縦型のものである。そして、外部の給水源からの給水（水道水）が、配管１１ａ、所定圧力に減圧する減圧弁１１、配管１１ｂを介して、タンク１０の下部（底部）に導入されるようになっている。
【００２１】
また、タンク１０の下部は、配管１２ａ、循環ポンプ１２、配管１２ｂ、コンデンサ３２（凝縮器）、配管１２ｃを介して、タンク１０の上部に接続されている。
そして、タンク１０内の水の沸き上げ時、つまり、ヒートポンプ３０（コンプレッサ３１）が作動している状態で、循環ポンプ１２が作動すると、タンク１０の下部の水が循環ポンプ１２に吸引され、コンデンサ３２で加熱された後、タンク１０の上部に流入するようになっている。
【００２２】
したがって、タンク１０内において、高温水は、タンク１０の上部から徐々に貯溜されることになる。よって、タンク１０内における水の温度は、上方が高く、下方に向かうにつれて低くなる。
【００２３】
＜第１混合弁＞
配管１１ｂの途中は、配管１３ａを介して、第１混合弁１３に接続されており、タンク１０の上部も、配管１３ｂを介して、第１混合弁１３に接続されている。
【００２４】
第１混合弁１３は、温水コック１４（給湯端末）が開かれた等の給湯要求があった場合、コントローラ６０からの指令に従って、配管１３ａからの給水と配管１３ｂからの湯との混合比を制御するものである。
すなわち、給湯要求があった場合、配管１３ｃを通って温水コック１４に向かう給湯が、操作パネル５０に設定された給湯温度となるように、第１混合弁１３における混合比が制御される。
【００２５】
＜第２混合弁＞
配管１３ａの途中は、配管１５ａを介して、第２混合弁１５に接続されており、配管１３ｂの途中も、配管１５ｂを介して、第２混合弁１５に接続されている。
【００２６】
第２混合弁１５は、浴槽Ｙへの湯張り要求があった場合、コントローラ６０からの指令に従って、配管１５ａからの給水と配管１５ｂからの湯との混合比を制御するものである。
すなわち、湯張り要求があった場合、浴槽Ｙに向かう温水が、操作パネル５０に設定されたふろ温度となるように、第２混合弁１５における混合比が制御される。
そして、混合比が制御され、温度調整された温水は、配管１５ｃ、湯張り時に開かれる開閉弁１６、配管１６ａ、配管４１ａの一部を通って、浴槽Ｙに供給されるようになっている。
【００２７】
＜温度センサ＞
温度センサ２１〜２４は、タンク１０内の水の温度を検出するセンサであり、タンク１０内の水の温度全体が検出されるように、タンク１０の上部から下部に向かって、温度センサ２１、２２、２３、２４の順で取り付けられている。そして、温度センサ２１〜２４は、検出したタンク１０内の水の温度を、コントローラ６０に出力するようになっている。ただし、温度センサの数はこれに限定されず変更自由である。
【００２８】
＜ヒートポンプ＞
ヒートポンプ３０は、冷媒を圧縮／膨張させることで、熱を汲み上げ、配管１２ａ〜配管１２ｃを循環する水を加熱し、タンク１０内の水を沸き上げる装置である。
【００２９】
ヒートポンプ３０は、コントローラ６０の指令に従って作動し、冷媒を圧縮し高温とするコンプレッサ３１と、コンプレッサ３１からの高温の冷媒を凝縮させると共に、循環する水を加熱するヒータとなるコンデンサ３２（凝縮器）と、コンデンサ３２からの冷媒を膨張させる膨張弁３３と、外気の熱を吸熱し、膨張弁３３からの冷媒を蒸発させるエバポレータ３４（蒸発器）と、を備えている。
【００３０】
ここで、コンプレッサ３１は、家庭に供給される一般電力を消費することで作動する。
ただし、タンク１０内の水を加熱する第２加熱手段はヒートポンプ３０に限定されず、その他に例えば、タンク１０内に設けられ、通電されると発熱する電気ヒータであってもよい。
【００３１】
＜追焚き回路＞
追焚き回路４０は、追焚き時に作動し、浴槽Ｙの浴水を循環させる追焚きポンプ４１を備えている。
【００３２】
さらに説明すると、浴槽Ｙは、配管４１ａを介して、追焚きポンプ４１の吸入口に接続されており、追焚きポンプ４１の吐出口は、配管４１ｂを介して、浴槽Ｙに接続されている。配管４１ｂの途中は、高温水が貯溜しやすいタンク１０内の上部を蛇行しながら経由しており、タンク１０内の高温水と、循環する浴水とを熱交換させ、浴水を加熱する熱交換部４２を構成している。
【００３３】
＜操作パネル＞
操作パネル５０は、浴室やキッチンに配置され、追焚き、湯張り等をするため人が操作するパネルである。そして、操作パネル５０は、自動ボタン５１と、追焚きボタン５２と、温調ボタン５３、５４と、液晶部５５と、を備えている。
【００３４】
自動ボタン５１は、湯張りし、その後、設定されたふろ温度となるように保温する場合にＯＮされるボタンである。追焚きボタン５２は、追焚き時にＯＮされるボタンである。温調ボタン５３は、ふろ温度を調整・設定する場合に操作されるボタンである。温調ボタン５４は、給湯温度を調整・設定する場合に操作されるボタンである。液晶部５５は、設定されているふろ温度、給湯温度を表示する部分である。
【００３５】
＜コントローラ＞
コントローラ６０（制御手段）は、給湯機１を電子制御する制御装置であり、ＣＰＵ、ＲＯＭ、ＲＡＭ、各種インタフェイス、電子回路などを含んで構成されており、その内部に記憶されたプログラムに従って、各種機能を発揮し、各種機器を制御するようになっている。
【００３６】
そして、コントローラ６０は、追焚き動作を制御する第１制御部６１（消費熱量算出手段、記憶手段）と、沸き上げの開始条件を設定する第２制御部６２（加熱開始条件設定手段）と、ヒートポンプ３０による沸き上げ動作を制御する第３制御部６３（加熱制御手段）と、を備えている。
【００３７】
＜コントローラ−第１制御部＞
第１制御部６１は、図２に示すように、今回追焚きが実行された追焚き時間（ヒートポンプ３０のＯＮ−ＯＦＦ時間、例えば１８（分））を、予め設定された単位追焚き時間（例えば３（分／回））で除算し、実質的な追焚き回数に補正（換算）する機能を備えている（例えば、１８／３＝６（回））。
したがって、例えば、前日の冷えた浴水を追焚きする場合、実際には追焚き時間の長い一回の追焚きが実行されるが、この追焚き時間が単位追焚き時間で除算されるので、補正後の追焚き回数は２（回）以上となる。
【００３８】
ここで、単位追焚き時間（分／回）は、事前試験等により求められ、自動ボタン５１がＯＮされる自動モードにおいて、浴水を保温するために追焚きが短時間で実行されたとしても、追焚き回数を補正（換算）可能な程度の短時間に設定される。
【００３９】
また、単位追焚き時間（分／回）にて追焚きされた場合におけるタンク１０内の水の単位消費熱量（Ｊ／回、水の熱量の減少量）は、事前試験等により求めることができるから、第１制御部６１（消費熱量算出手段）は、単位消費熱量（Ｊ／回）と、補正後の追焚き回数とを乗算し、今回追焚きにおいてタンク１０内の水が消費した消費熱量（Ｊ）を算出する機能も備えている。
【００４０】
ここで、今回追焚きにおける水の消費熱量（Ｊ）と、補正（換算）後の追焚き回数（回）とは、線形関係となり、水の消費熱量が大きくなると、補正後の追焚き回数が多くなる。
そして、本実施形態では、第１制御部６１（記憶手段）が、「水の消費熱量（Ｊ）」を記憶するのではなく、これと略同義である「補正（換算）後の追焚き回数（回）」を記憶する構成を例示する。
【００４１】
＜コントローラ−第２制御部＞
第２制御部６２（加熱開始条件設定手段）は、第１制御部６１に記憶されている前日の「補正後の追焚き回数」に基づいて、ヒートポンプ３０による沸き上げの開始条件Ａ〜Ｄを設定する機能を備えている。開始条件Ａ〜Ｄ、その設定手順は、後で説明する。
【００４２】
＜コントローラ−第３制御部＞
第３制御部６３は、第２制御部６２が設定した開始条件Ａ〜Ｄに基づいて、ヒートポンプ３０による沸き上げを制御する機能を備えている。具体的な制御内容は後で説明する。
【００４３】
≪給湯機の動作≫
次に、給湯機１の動作について、図２〜図６を参照して説明する。
【００４４】
＜追焚きフロー＞
まず、図２〜図３を参照して、追焚き動作を説明する。
なお、ここでは、深夜電力帯が２３時〜７時であるので、これに対応して、２３時に図３の処理がスタートする場合を例示し、２３時〜翌日の２３時を１日間とした場合を例示する。
【００４５】
ステップＳ１０１において、第１制御部６１は、追焚き要求があるか否か判定する。
例えば、（１）追焚きボタン５２がＯＮされている場合や、（２）自動ボタン５１がＯＮされている場合において、現在のふろ温度が操作パネル５０に設定されたふろ温度よりも低いとき、追焚き要求があると判定される。なお、現在のふろ温度は、浴槽Ｙに取り付けられた温度センサ（図示しない）で検出される。
【００４６】
追焚き要求はあると判定した場合（Ｓ１０１・Ｙｅｓ）、第１制御部６１の処理は、ステップＳ１０２に進む。一方、追焚き要求はないと判定した場合（Ｓ１０１・Ｎｏ）、第１制御部６１の処理はステップＳ１０７に進む。
【００４７】
ステップＳ１０２において、第１制御部６１は、追焚きポンプ４１をＯＮし、追焚きを開始させる。そうすると、浴槽Ｙの浴水が、配管４１ａ、配管４１ｂを通流し、浴槽Ｙと熱交換部４２との間で循環し、追焚きされる。
なお、第１制御部６１は、追焚きを開始する場合、クロックを利用して、追焚き時間の計測を開始する。
【００４８】
ステップＳ１０３において、第１制御部６１は、追焚きを終了可能か否か判定する。
例えば、現在のふろ温度が操作パネル５０に設定された温度以上である場合、追焚きは終了可能と判定される。
なお、追焚きの終了判定において、操作パネル５０に設定された温度よりも若干高い温度以上である場合、終了可能であると判定し、追焚きポンプ４１のＯＮ／ＯＦＦ頻度を低下させる構成としてもよい。
【００４９】
追焚きを終了可能と判定した場合（Ｓ１０３・Ｙｅｓ）、第１制御部６１の処理は、ステップＳ１０４に進む。一方、追焚きを終了可能でないと判定した場合（Ｓ１０３・Ｎｏ）、第１制御部６１はステップＳ１０３の判定を繰り返す。
【００５０】
ステップＳ１０４において、第１制御部６１は、追焚きポンプ４１をＯＦＦし、追焚きを終了する。これに並行して、第１制御部６１は、今回の追焚き時間の計測を終了する。
【００５１】
ステップＳ１０５において、第１制御部６１は、今回の追焚きについて、追焚き回数を補正する。具体的には、今回の追焚き時間（例えば１８（分））を、予め設定された単位追焚き時間（例えば３（分／回））で除算し、実質的な追焚き回数に補正（換算）する（図２参照）。
【００５２】
ステップＳ１０６において、第１制御部６１は、ステップＳ１０５で補正（換算）された追焚き回数を加算する。
【００５３】
ステップＳ１０７において、第１制御部６１は、翌日の２３時を経過しているか否か判定する。
翌日の２３時を経過していると判定した場合（Ｓ１０７・Ｙｅｓ）、第１制御部６１の処理はステップＳ１０８に進む。一方、翌日の２３時を経過していないと判定した場合（Ｓ１０７・Ｎｏ）、第１制御部６１の処理はステップＳ１０１に進む。
【００５４】
ステップＳ１０８において、第１制御部６１は、補正（換算）後（Ｓ１０５）、加算されている追焚き回数（Ｓ１０６）を、「前日の追焚き回数」として記憶すると共に、当日（翌日の２３時以後）の追焚き回数を新たにカウントするため、追焚き回数をリセットする。
その後、第１制御部６１の処理は、ステップＳ１０１に進む。
【００５５】
＜沸き上げ開始条件設定フロー＞
次に、図４〜図５を参照して、ヒートポンプ３０による沸き上げの開始条件の設定動作を説明する。
なお、ここでは、深夜電力帯が２３時〜７時であるので、これに対応して、２３時に図４の処理がスタートする場合を例示し、２３時〜翌日の２３時を１日間とした場合を例示する。
【００５６】
＜沸き上げの開始条件Ａ〜Ｄ＞
ここで、本実施形態では、４つの開始条件Ａ〜Ｄをする場合を例示するが、４段階に限定されることはない。
開始条件Ａ〜Ｄは、開始条件Ａ、Ｂ、Ｃ、Ｄ、と進むに従って、タンク１０内の高温水（例えば４０℃）が増加するように設定される（図５参照）。すなわち、開始条件Ａ、Ｂ、Ｃ、Ｄと進むに従って、本日の追焚きが予想される回数（補正後）にて未だ実行されておらず、この後、追焚きが実行されると予想されるので、その後に実行されると予想される追焚き回数（補正後）に対応して、つまり、残っている本日の追焚き回数（補正後）に対応して、タンク１０内に高温水が貯溜されるように、沸き上げの開始条件Ａ〜Ｄが設定されている。
【００５７】
具体的には、開始条件Ａは、温度センサ２１の検出するタンク１０内の水の温度が、沸き上げ開始温度（例えば４０℃）以下となった場合、ヒートポンプ３０による沸き上げを開始する条件である。
開始条件Ｂは、温度センサ２２の検出する温度が、沸き上げ開始温度（例えば４０℃）以下となった場合、沸き上げを開始する条件である。
開始条件Ｃは、温度センサ２３の検出する温度が、沸き上げ開始温度（例えば４０℃）以下となった場合、沸き上げを開始する条件である。
開始条件Ｄは、温度センサ２４の検出する温度が、沸き上げ開始温度（例えば４０℃）以下となった場合、沸き上げを開始する条件である。
【００５８】
ステップＳ２０１において、第２制御部６２は、図３のステップＳ１０８で記憶されている前日の追焚き回数（補正後）から、図３のステップＳ１０６で記憶されている本日の追焚き回数（補正後）を減算した値（残り追焚き回数）が、０（回）であるか否か判定する。
【００５９】
そして、０（回）であると判定した場合（Ｓ２０１・Ｙｅｓ）、第２制御部６２の処理は、ステップＳ２０２に進む。一方、０（回）でないと判定した場合（Ｓ２０２・Ｎｏ）、第２制御部６２の処理は、ステップＳ２０３に進む。
【００６０】
ステップＳ２０２において、第２制御部６２は、沸き上げの開始条件Ａを選択し、設定する。
【００６１】
ステップＳ２０３において、第２制御部６２は、図３のステップＳ１０８で記憶されている前日の追焚き回数（補正後）から、図３のステップＳ１０６で記憶されている本日の追焚き回数（補正後）を減算した値（残り追焚き回数）が、２（回）以下であるか否か判定する。
【００６２】
そして、２（回）以下であると判定した場合（Ｓ２０３・Ｙｅｓ）、第２制御部６２の処理は、ステップＳ２０４に進む。一方、２（回）以下でないと判定した場合（Ｓ２０３・Ｎｏ）、第２制御部６２の処理はステップＳ２０５に進む。
【００６３】
ステップＳ２０４において、第２制御部６２は、沸き上げの開始条件Ｂを選択し、設定する。
【００６４】
ステップＳ２０５において、第２制御部６２は、図３のステップＳ１０８で記憶されている前日の追焚き回数（補正後）から、図３のステップＳ１０６で記憶されている本日の追焚き回数（補正後）を減算した値（残り追焚き回数）が、５（回）以下であるか否か判定する。
【００６５】
そして、５（回）以下であると判定した場合（Ｓ２０５・Ｙｅｓ）、第２制御部６２の処理は、ステップＳ２０６に進む。一方、５（回）以下でないと判定した場合（Ｓ２０５・Ｎｏ）、第２制御部６２の処理はステップＳ２０７に進む。
【００６６】
ステップＳ２０６において、第２制御部６２は、沸き上げの開始条件Ｃを選択し、設定する。
【００６７】
ステップＳ２０７において、第２制御部６２は、沸き上げの開始条件Ｄを選択し、設定する。
【００６８】
ステップＳ２０８において、第２制御部６２は、翌日の２３時を経過しているか否か判定する。
翌日の２３時を経過していると判定した場合（Ｓ２０８・Ｙｅｓ）、第２制御部６２の処理はステップＳ２０９に進む。一方、翌日の２３時を経過していないと判定した場合（Ｓ２０８・Ｎｏ）、第２制御部６２の処理はステップＳ２０１に進む。
【００６９】
ステップＳ２０９において、第２制御部６２は、設定されている開始条件Ａ〜Ｄをリセットする。
その後、第２制御部６２の処理は、ステップＳ２０１に進む。
【００７０】
＜沸き上げフロー＞
次に、図６を参照して、ヒートポンプ３０による沸き上げ動作を説明する。
【００７１】
ステップＳ３０１において、第３制御部６３は、現在時刻が、昼間時間帯（７時〜２３時）であるか否か判定する。
昼間時間帯であると判定した場合（Ｓ３０１・Ｙｅｓ）、第３制御部６３の処理はステップＳ３０２に進む。一方、昼間時間帯でないと判定した場合（Ｓ３０１・Ｎｏ）、第３制御部６３の処理は、ステップＳ３０６に進む。
なお、ここでは、昼間時間帯であるか否かについて判定しているが、この判定（Ｓ３０１）を省略し、ステップＳ３０２からスタートする構成としてもよい。
【００７２】
ステップＳ３０２において、第３制御部６３は、図４の処理により設定されている沸き上げの開始条件Ａ〜Ｄのいずれかが成立しているか否か判定する。
例えば、図４において、ステップＳ２０２を経由したことにより、開始条件Ａが設定されている場合、温度センサ２１の検出するタンク１０内の水の温度が、沸き上げ開始温度（例えば４０℃）以下であるとき、開始条件Ａは成立していると判定される。
【００７３】
開始条件Ａ〜Ｄは成立していると判定した場合（Ｓ３０２・Ｙｅｓ）、第３制御部６３の処理は、ステップＳ３０３に進む。一方、開始条件Ａ〜Ｄは成立していないと判定した場合（Ｓ３０２・Ｎｏ）、第３制御部６３の処理は、リターンを通ってスタートに戻る。
【００７４】
ステップＳ３０３において、第３制御部６３は、沸き上げを開始する。
具体的には、第３制御部６３は、ヒートポンプ３０（コンプレッサ３１）及び循環ポンプ１２をＯＮする。そうすると、タンク１０の下部からの水は、コンデンサ３２を通流する際に加熱され、高温水（湯）となり、この高温水はタンク１０の上部に流入し、沸き上げが進む。すなわち、沸き上げが進むと、タンク１０内における高温水は、下方に向かって徐々に増加する。
【００７５】
ステップＳ３０４において、第３制御部６３は、沸き上げが終了したか否か判定する。
例えば、開始条件Ａが設定されている場合、温度センサ２１の検出するタンク１０内の水の温度が、沸き上げ終了温度（例えば４０℃）以上であるとき、沸き上げは終了したと判定される。
【００７６】
なお、ヒートポンプ３０のＯＮ／ＯＦＦ頻度を低下させるため、沸き上げ終了温度を、沸き上げ開始温度よりも高めに設定してもよい。つまり、例えば、沸き上げ開始温度を４０℃とした場合、沸き上げ終了温度を４３〜４５℃にしてもよい。
【００７７】
沸き上げは終了したと判定した場合（Ｓ３０４・Ｙｅｓ）、第３制御部６３の処理は
ステップＳ３０５に進む。一方、沸き上げは終了していないと判定した場合（Ｓ３０４・Ｎｏ）、第３制御部６３は、ステップＳ３０４の判定を繰り返す。
【００７８】
ステップＳ３０５において、第３制御部６３は、ヒートポンプ３０（コンプレッサ３１）及び循環ポンプ１２をＯＦＦする。これにより、沸き上げは停止される。
その後、第３制御部６３の処理は、リターンを通って、スタートに戻る。
【００７９】
次に、ステップＳ３０１の判定結果がＮｏとなって進むステップＳ３０６を説明する。
ステップＳ３０６において、第３制御部６３は、沸き上げの開始条件Ｄが成立しているか否か判定する（図５参照）。これは、このようにステップＳ３０６に進む場合は、深夜時間帯（２３時〜７時）であり、安価な深夜電力によってタンク１０に多量の高温水を貯溜することが好ましいからである。
【００８０】
開始条件Ｄは成立していると判定した場合（Ｓ３０６・Ｙｅｓ）、第３制御部６３の処理は、ステップＳ３０７に進む。一方、開始条件Ｄは成立していないと判定した場合（Ｓ３０６・Ｎｏ）、第３制御部６３の処理はリターンに進む。
【００８１】
ステップＳ３０７において、第３制御部６３は、ヒートポンプ３０（コンプレッサ３１）及び循環ポンプ１２をＯＮし、沸き上げを開始する。
【００８２】
ステップＳ３０８において、第３制御部６３は、沸き上げが終了したか否か、つまり、温度センサ２４の検出するタンク１０内の水の温度が沸き上げ終了温度（例えば４０℃）以上であるか否か判定する。
【００８３】
沸き上げは終了したと判定した場合（Ｓ３０８・Ｙｅｓ）、第３制御部６３の処理はステップＳ３０９に進む。一方、沸き上げは終了していないと判定した場合（Ｓ３０８・Ｎｏ）、第３制御部６３は、ステップＳ３０８の判定を繰り返す。
【００８４】
ステップＳ３０９において、第３制御部６３は、ヒートポンプ３０（コンプレッサ３１）及び循環ポンプ１２をＯＦＦする。これにより、沸き上げは停止される。
その後、第３制御部６３の処理は、リターンを通って、スタートに戻る。
【００８５】
≪給湯機の効果≫
このような給湯機１によれば、次の効果を得る。
１回の追焚き時間（例えば１８分）を、単位追焚き時間（例えば３（分／回））で除算することにより、追焚き回数を実質的な追焚き回数に補正・換算できる（図３、Ｓ１０５）。すなわち、例えば、前日の冷えた浴水を追焚きするため、１回の長時間の追焚きが実行されたとしても、単位追焚き時間で補正・換算される。
【００８６】
そして、この補正後の追焚き回数を加算し（図３、Ｓ１０６）、これを前日の追焚き回数として記憶し（図３、Ｓ１０８）、次いで、図４に示すように、前日の追焚き回数と本日の追焚き回数とを比較したうえで、本日その後に実行されると予想される追焚き回数に対応して、沸き上げの開始条件Ａ〜Ｄを設定し、次いで、図６に示すように、開始条件Ａ〜Ｄに基づいて沸き上げを制御するので、ヒートポンプ３０を無駄なく作動させ電力消費を抑えると共に、湯切れも防止できる。
【００８７】
給湯機１は、浴槽Ｙから流出／流入する浴水についての温度センサ、流量センサを備えない簡便な構成であるから、安価で製造できる。
【００８８】
≪変形例≫
以上、本発明の一実施形態について説明したが、本発明はこれに限定されず、例えば次のように変更できる。
【００８９】
前記した実施形態では、前日の補正後の追焚き回数を基準として、開始条件Ａ〜Ｄを設定したが、その他に例えば、直前の１週間における追焚き回数を平均したものを基準としてもよい。
【００９０】
前記した実施形態では、加熱対象である浴水の通流する配管４１ｂがタンク１０内を蛇行させることで熱交換部４２が構成された場合を例示したが（図１参照）、配管４１ｂがタンク１０内を経由しないと共に、タンク１０内の高温水を別系統で循環させ、この別系統を循環する高温水と循環する浴水とが熱交換するように、タンク１０の外部に熱交換器（第１加熱手段）を備える構成としてもよい。
【００９１】
前記した実施形態では、加熱対象である第２熱媒体が浴水（水）である場合を例示したが、これに限定されることはない。例えば、潜熱蓄熱材を含む液体、ブライン、不凍液でもよい。
【符号の説明】
【００９２】
１      給湯機（タンク装置）
１０    タンク
２１、２２、２３、２４  温度センサ
３０    ヒートポンプ（第２加熱手段）
４０    追焚き回路（第１加熱手段）
４２    熱交換部
６０    コントローラ（制御手段）
６１    第１制御部（消費熱量算出手段、記憶手段）
６２    第２制御部（加熱開始条件設定手段）
６３    第３制御部
Ａ、Ｂ、Ｃ、Ｄ  開始条件
【図１】
2012007820.tif 000003
【図２】
2012007820.tif 000004
【図３】
2012007820.tif 000005
【図４】
2012007820.tif 000006
【図５】
2012007820.tif 000007
【図６】
2012007820.tif 000008